(57)【要約】      （修正有）【課題】安価な設置スペースの少ないベンチュリ−方式を用いて、マイクロバブル発生量をより増加し、気泡の大きさも安定できる効率の良いマイクロバブル発生装置を提供する。【解決手段】ベンチュリ−方式のノズルを丸棒内に３〜６ヶ所円形方向に均等なテーパ多管を設け、丸棒中心に空気管を設け、丸棒外周からも空気管を設け、自吸エアーバルブ２から吸引し、テーパ多管に各独立して両方から自吸されマイクロバブルを発生させる。また吐出し側のスクリュー２０で自然旋回流を発生させ大きな気泡も効率よくマイクロバブルとなり増量となる。およびポンプの吸込み側からも自吸バルブを設け、バルブ調整で微量な空気を自吸し、ポンプの回転旋回流で、圧力液内に空気を混合溶解させテーパ多管を通過することでマイクロバブルに析出させ、発生量がより多くなる。またマイクロバブル発生ノズルの圧力前室１８から、圧力液をバルブ調整でポンプ吸引側にリターンさせ、ポンプの回転旋回流で更にマイクロバブル発生量を増量調整する。【選択図】図２
0003234218.tif 000002
【実用新案登録請求の範囲】
【請求項１】
マイクロバブル発生装置において、ベンチュリ−方式のノズルを丸棒内に３〜６ヶ所円形方向に均等なテーパ多管を設け、そして丸棒中心に空気管を設け、また丸棒外周からも空気管を設け、各独立して空気を両方から各テーパ多管に自吸し、圧力差でマイクロバブルを発生させたのち３〜６ヶ所のテーパ多管から吐出し混合されることを特徴とするマイクロバブル発生ノズル。
【請求項２】
マイクロバブル発生のための上記ノズルの吐出し側中心部空気管の漏れ防止ねじに２〜８枚スクリューを取り付け、３〜６ヶ所のテーパ多管からの吐出し液流で自然回転させ旋回流を発生させることを特徴とする請求項１に記載のマイクロバブル発生ノズル。
【請求項３】
マイクロバブル発生のための上記ノズルを汎用ポンプに連結し、吸い込み側にバルブを設け、バルブ調整で微量な空気を自吸し、ポンプの回転旋回流で、圧力液に空気を混合溶解させることを特徴とする請求項１及び２に記載のマイクロバブル発生ノズルでマイクロバブルを析出発生させるマイクロバブル発生装置。
【請求項４】
マイクロバブル発生ノズルの圧力液側から、バルブでポンプ吸引側にリターンさせて圧力・流量を調整し、およびポンプの回転旋回流で更にマイクロバブルを増加調整させることを特徴とする請求項１及び２に記載のマイクロバブル発生ノズルと請求項３に記載のマイクロバブル発生装置。
【考案の詳細な説明】
【技術分野】
【０００１】  本考案は、ベンチュリ−方式によるマイクロバブル発生をより効果的に増量させるマイクロバブル発生ノズルとマイクロバブル発生装置に関するものである。
【背景技術】
【０００２】  安価なベンチュリ−方式でマイクロバブルを発生させるものと、高価な圧力タンクやコンプレッサー等の必要な加圧溶解方式が主流となっている。
【考案の概要】
【考案が解決しようとする課題】
【０００３】  通常のベンチュリ−方式は、通過前後の圧力差で負圧による自吸空気量によって、マイクロバブルを発生するが、加圧溶解方式と比べると発生量が少なく気泡も大きく安定しない。しかし加圧溶解方式は高価で設置スペースが大きなため、横展開するにはかなりの費用と場所がいる。そこで安価な設置スペースの少ないベンチュリ−方式を用いて、マイクロバブル発生量をより増加し、気泡の大きさも安定できる、効率の良いマイクロバブル発生ノズルとマイクロバブル発生装置を考案することで、ベンチュリ−方式前述の課題を解決しようとするものである。
【課題を解決するための手段】
【０００４】  本考案はマイクロバブル発生装置において、ベンチュリ−方式のノズルを丸棒内に３〜６ヶ所円形方向に均等なテーパ多管を設け、丸棒中心には約３ｍｍ径の空気管を設け、空気管前後はネジで液が侵入しないように封鎖してあり、吐出し側の漏れ防止ねじに２〜８枚スクリューを取り付けて、丸棒外周からも空気管を設け、そして丸棒には全体をソケットで包み込み、ソケットにはめ合う配管で丸棒を抱え込み外部と遮断し、バルブで丸棒外周と中心空気管から空気がテーパ多管に各独立して自吸されるようにしてあり、圧力液を通過させ圧力差で最小径管部に空気を自吸し、マイクロバブルを発生させる。吐出し側は吐出し液流でスクリューを自然回転させ、旋回流を発生させ気泡の大きさの安定と増量させる。及びポンプの吸込み側からもバルブを設け、バルブ調整で微量な空気を自吸し、ポンプの回転旋回流で、空気を混合溶解させた圧力液なので、従来のベンチュリ−方式単管よりマイクロバブルの発生量が多く、またマイクロバブル発生ノズルの圧力前室側から、圧力液をバルブ調整でリターンさせ、ポンプの回転旋回流で更にマイクロバブル発生量を増量調整するので、ベンチュリ−方式の問題を解決している。
【考案の効果】
【０００５】  上述の様に、本考案のマイクロバブル発生ノズルとマイクロバブル発生装置はベンチュリ−方式を多管化し、スクリューを取付け自然旋回流と独自の自吸機構やポンプの回転旋回流を設けることにより、相乗的に発生量を増加安定させた安価で省スペースなマイクロバブル発生装置ができる。
【図面の簡単な説明】
【０００６】
【図１】マイクロバブル発生ノズル本体
【図２】マイクロバブル発生ノズル本体断面図
【図３】マイクロバブル発生差圧多管部正面・左面・右面
【図４】４−１マイクロバブル縦型発生装置上面図  ４−２マイクロバブル横型発生装置上面図
【考案を実施するための形態】
【０００７】  マイクロバブル発生装置において汎用ポンプで液体（水系、油系等）を吸引し、ベンチュリ−方式の３〜６か所あるテーパ多管ノズルの入口と出口で圧力差が発生し、中心空気管と外周空気管の両方から負圧となって各テーパ多管の最小径管部に、独立してバルブ調整された自吸エアーが均等に吸引され、マイクロバブルが発生する。そのマイクロバブル吐出し液流でスクリューが自然回転し旋回流が発生してマイクロバブルの大きさが安定して増量し、更にポンプ吸引側からもバルブで調整された空気が自吸され、ポンプの回転旋回流で圧力液に混合及び溶解されるので、テーパ多管ノズルで析出しマイクロバブルが増量される。また更にポンプ排出側テーパ多管前の圧力液を、ポンプ吸引側にバルブ調整でリターンさせることで、圧力及び流量が調整され、またマイクロバブルの発生量が更に増量される。
【実施例】
【０００８】  以下、添付図面に従って一実施例を説明する。１はマイクロバブル発生ノズルで、中に３ＭＢ発生差圧多管部があり、６入口ザグリ多管部と７吐出しテーパ多管部の１９最小径管部に、負圧で吸引される４多孔部外周空気管と８中心部空気管からなりたっている。８中心部空気管は９の空気止めネジで封鎖され５中心部空気管へ外周空気取入空気管から吸引し、４，８は２の吐出し側自吸エアーバルブから調整し吸引される。３ＭＢ発生差圧多管部は４，８の両方から均等に独立して吸引される機構となっている。また２０のスクリューでマイクロバブル液を旋回流で大きさの安定と増量する。図４の各マイクロバブル発生装置で、１０の汎用ポンプで１７から吸込み１のマイクロバブル発生ノズルでマイクロバブルを発生させ１６の吐出しから排出させるが、さらに発生量を増加するために１４の吸込み側自吸エアーバルブから調整吸引させ、１０汎用ポンプの回転旋回流を利用して、圧力液に空気を混合及び溶解させて１の発生ノズルで発生量を増加させる。また更に１３リターン圧力・流量・ＭＢ調整バルブで１８につながる圧力液をリターンさせ、１０汎用ポンプの回転旋回流で更にマイクロバブルを増加させる。図４の４−１、４−２が記載してあるが、設置場所によって１のマイクロバブル（ＭＢ）発生ノズル本体を上向きに設置することもできる。またスクリューがあったほうが良いが無くても良い。
【符号の説明】
【０００９】  １  マイクロバブル（ＭＢ）発生ノズル本体
２  吐出し側自吸エアーバルブ
３  ＭＢ発生差圧多管部
４  多孔部外周空気管
５  中心部空気管へ外周空気取入空気管
６  入口ザグリ多管部
７  吐出しテーパ多管部
８  中心部空気管
９  空気止めネジ
１０  汎用ポンプ
１１  呼び水バルブ
１２  圧力取口
１３  リターン圧力・流量・ＭＢ調整バルブ
１４  吸込み側自吸エアーバルブ
１５  プレハブジョイント
１６  ＭＢ吐出し
１７  吸込み
１８  テーパ多管圧力前室側
１９  最小径管部
２０  スクリュー
【図１】
0003234218.tif 000003
【図２】
0003234218.tif 000004
【図３】
0003234218.tif 000005
【図４】
0003234218.tif 000006
【手続補正書】
【提出日】令和3年6月24日(2021.6.24)
【手続補正１】
【補正対象書類名】実用新案登録請求の範囲
【補正対象項目名】全文
【補正方法】変更
【補正の内容】
【実用新案登録請求の範囲】
【請求項１】
マイクロバブル発生装置において、ベンチュリ−方式のノズルを丸棒内に３〜６ヶ所円形方向に均等なテーパ多管を設け、そして丸棒中心に空気管を設け、また丸棒外周からも空気管を設け、各独立して空気を両方から各テーパ多管に自吸し、圧力差でマイクロバブルを発生させたのち３〜６ヶ所のテーパ多管から吐出し混合されることを特徴とするマイクロバブル発生ノズル。
【請求項２】
マイクロバブル発生のための上記ノズルの吐出し側中心部空気管の漏れ防止ねじに２〜８枚スクリューを取り付け、３〜６ヶ所のテーパ多管からの吐出し液流で自然回転させ旋回流を発生させることを特徴とする請求項１に記載のマイクロバブル発生ノズル。
【請求項３】
マイクロバブル発生のための上記ノズルを汎用ポンプに連結し、吸い込み側にバルブを設け、バルブ調整で微量な空気を自吸し、ポンプの回転旋回流で、圧力液に空気を混合溶解させることを特徴とする請求項１または２に記載のマイクロバブル発生ノズルでマイクロバブルを析出発生させるマイクロバブル発生装置。
【請求項４】
請求項１または２に記載のマイクロバブル発生ノズルの圧力液側から、バルブでポンプ吸引側にリターンさせて圧力・流量を調整し、ポンプの回転旋回流で更に圧力液に空気を混合溶解させ、マイクロバブルを増加調整させることを特徴とする請求項３に記載のマイクロバブル発生装置。